(57)【要約】【課題】省電力書換モードが設定されている場合であっても、ユーザが望む画像を表示するときは、通常書換モードによる画像の書換表示を行う画像表示装置を提供する。【解決手段】前進ボタン３ａ又は後退ボタン３ｂにより、書換指示が行なわれたとき、不揮発性表示部２に表示される画像により、通常書換と省電力書換とが指示される。表示される画像が、階調の高い画像及び機密情報を含む画像などの特別の画像であると判断されないとき、特別の画像を書き換えるために必要な電力より少ない省電力書換が行われる。また、表示される画像が、特別の画像であると判断されたとき、通常書換が行われる。この結果、省電力書換が行われると、書換に必要な消費電力を低く抑えることができる。【選択図】図１７
2010237517.tif 000002
【特許請求の範囲】
【請求項１】
画像を表示するための表示データを取得する表示データ取得部と、
前記取得された表示データに従って画像を多数の画素により表示画面上に表示し、表示される画像を書き換えるための電力が少なくとも１つの画素に供給され、その画素への電力の供給が遮断されたときに画像の表示状態を保持することが可能な不揮発性表示部と、
前記不揮発性表示部の表示画面上に表示される画像の書換の操作を入力するための入力部と、
前記表示画面上の少なくとも１つの画素の表示状態を変化させるための電力を前記不揮発性表示部に供給可能な電源部と、
前記電源部の電力供給状態を検出する状態検出部と、
前記状態検出部により検出された電力供給状態が、電力供給能力の低い状態であるか否かを判断する状態判断部と、
前記表示画面上に表示される画像が、予め定められた特別の画像であるか否かを判断する画像判断部と、
前記表示画面上に表示される画像の書換を通常書換で行わせる通常書換指示と、前記表示画面上に表示される画像の書換を通常書換よりも少ない電力で書き換える省電力書換で行わせる省電力書換指示とのいずれかを指示可能であって、前記状態判断部が電力供給能力の低い状態と判断したとき、省電力書換指示を行い、前記状態判断部が電力供給能力の低い状態ではないと判断したとき、通常書換指示を行い、前記状態判断部が電力供給能力の低い状態と判断したときであっても、前記画像判断部が特別の画像であると判断したとき、通常書換指示を行う書換指示部と、
前記不揮発性表示部を駆動する表示駆動部と、
前記入力部による前記操作が入力されたときに、前記書換指示部により行われた指示に従って、前記表示駆動部を制御する駆動制御部と、
を備える画像表示装置。
【請求項２】
前記表示データ取得部により取得される表示データに対して、特別な画像か否かを示す画像判断情報を付加または削除する画像判断情報指示部を備え、
前記画像判断部は、前記画像判断情報指示部による前記画像判断情報が前記表示データに付加されているか否かを判断する画像判断情報判断部を有し、
前記画像判断部は、前記画像判断情報判断部により前記画像判断情報が前記表示データに付加されていると判断された場合に、前記画像判断情報が付加された前記表示データに基づいて前記表示画面上に次に表示される画像が特別の画像であると判断する、
ことを特徴とする請求項１に記載の画像表示装置。
【請求項３】
前記表示データ取得部により取得される表示データは、複数の項目から選択するために前記表示画面上に表示される複数の選択項目画像を表す選択項目データを含み、
前記画像判断部は、前記表示データに基づいて前記表示画面上に表示される画像が、前記選択項目画像か否かを判断する選択画像判断部を有し、
前記画像判断部は、前記選択画像判断部により、前記表示データに基づいて前記表示画面上に表示される画像が、選択項目画像であると判断された場合に、その選択項目画像を表す前記表示データに基づいて前記表示画面上に次に表示される画像が特別の画像でないと判断する、
ことを特徴とする請求項１または２に記載の画像表示装置。
【請求項４】
前記画像判断部は、前記入力部により前記表示画面上に表示される画像を書き換える操作が入力されたとき、前記表示画面上に現在表示されている画像が機密情報を含む画像であるか否かを判断する機密画像判断部を有し、
前記画像判断部は、前記機密画像判断部により、前記表示データに基づいて前記表示画面上に現在表示されている画像が機密情報を含む画像であると判断されたとき、その機密情報を含む画像の次に前記表示画面上に表示される画像を特別の画像であると判断する、
ことを特徴とする請求項１〜３のいずれかに記載の画像表示装置。
【請求項５】
前記画像判断部は、前記表示データ取得部により取得される表示データが、前記表示画面上に図形画像を表示するための図形表示データを含んでいるか否かを判断する図形画像判断部を有し、
前記画像判断部は、前記図形画像判断部により前記表示データが前記図形表示データを含んでいると判断されたとき、前記図形表示データを含む前記表示データに基づいて前記表示画面上に次に表示される画像が特別の画像であると判断する、
ことを特徴とする請求項１〜４のいずれかに記載の画像表示装置。
【請求項６】
前記表示画面上に所定の階調段階数を有する画像を表示するために、その表示される画像において前記表示データに従って特定される各画素の色の階調段階が所定の階調段階であるか否かを判断する画素色判断部と、
前記画素色判断部により、前記表示画面上に表示される画像において所定の階調段階であると判断された画素の数を決定する画素数決定部と、を備え、
前記画像判断部は、前記画素数決定部により決定された画素数が、前記表示画面上に表示される画像の全画素数に対して所定の割合以上か否かを判断する画素割合判断部を有し、
前記画像判断部は、前記画素割合判断部により、所定の階調の画素数が、全画素数に対して所定の割合以上と判断された場合に、特別の画像であると判断する、
ことを特徴とする請求項１〜５のいずれかに記載の画像表示装置。
【請求項７】
前記状態判断部は、
前記状態検出部により検出された電力供給状態が、前記通常書換を行わせる場合において前記不揮発性表示部の表示画面上に表示された画像を書き換えるのに充分な前記電源部の通常電力供給能力より低く、第１の低電力供給能力以上の状態であるか否かを判断する第１の状態判断部と、
前記状態検出部により検出された電力供給状態が、前記第１の低電力供給能力より低く、前記不揮発性表示部に表示される画像を所定の制限回数書き換えることが可能である第２の低電力供給能力以上の状態であるか否かを判断する第２状態判断部とを有し、
前記書換指示部は、前記第１の状態判断部が前記通常電力供給能力より低く且つ前記第１の低電力供給能力以上の状態であると判断したときに前記省電力書換指示を行い、
前記第２の状態判断部が前記第１の低電力供給能力より低く且つ前記第２の低電力供給能力以上の状態であると判断したときに前記通常書換指示又は前記省電力書換指示を行う、
ことを特徴とする請求項１〜６のいずれかに記載の画像表示装置。
【請求項８】
画像を多数の画素により表示画面上に表示し、表示される画像を書き換えるための電力が少なくとも１つの画素に供給され、その画素への電力の供給が遮断されたときに画像の表示状態を保持することが可能な不揮発性表示部と、
前記表示画面上の少なくとも１つの画素の表示状態を変化させるための電力を前記不揮発性表示部に供給可能な電源部と、
を備える画像表示装置において、
前記表示画面上に表示される画像の書換の操作を入力するための入力ステップと、
前記電源部の電力供給状態を検出する状態検出ステップと、
前記状態検出ステップにより検出された電力供給状態が、電力供給能力の低い状態であるか否かを判断する状態判断ステップと、
前記表示画面上に表示される画像が、予め定められた特別の画像であるか否かを判断する画像判断ステップと、
前記表示画面上に表示される画像の書換を通常書換で行わせる通常書換指示と、前記表示画面上に表示される画像の書換を通常書換よりも少ない電力で書き換える省電力書換で行わせる省電力書換指示とのいずれかを指示可能であって、前記状態判断ステップが電力供給能力の低い状態と判断したとき、省電力書換指示を行い、前記状態判断ステップが電力供給能力の低い状態ではないと判断したとき、通常書換指示を行い、前記状態判断ステップが電力供給能力の低い状態と判断したときであっても、前記画像判断ステップが特別の画像であると判断したとき、通常書換指示を行う書換指示ステップと、
前記入力ステップにより表示画面上に表示される画像を書き換える操作が入力されたときに、前記書換指示ステップによる指示に従って、前記不揮発性表示部を駆動する駆動制御ステップと、
を備える画像表示方法。
【請求項９】
画像を多数の画素により表示画面上に表示し、表示される画像を書き換えるための電力が少なくとも１つの画素に供給され、その画素への電力の供給が遮断されたときに画像の表示状態を保持することが可能な不揮発性表示部と、
前記表示画面上の少なくとも１つの画素の表示状態を変化させるための電力を供給可能な電源部と、
前記電源部の電力供給状態を検出する状態検出部と、
前記不揮発性表示部を駆動する表示駆動部と、
を備える画像表示装置において、
前記不揮発性表示部の表示画面上に表示される画像を書き換える操作の入力を検出するための入力検出ステップと、
前記状態検出部により検出された電力供給状態が、電力供給能力の低い状態であるか否かを判断する状態判断ステップと、
前記表示画面上に表示される画像が、予め定められた特別の画像であるか否かを判断する画像判断ステップと、
前記表示画面上に表示される画像の書換を通常書換で行わせる通常書換指示と、前記表示画面上に表示される画像の書換を通常書換よりも少ない電力で書き換える省電力書換で行わせる省電力書換指示とのいずれかを指示可能であって、前記状態判断ステップが電力供給能力の低い状態と判断したとき、省電力書換指示を行い、前記状態判断ステップが電力供給能力の低い状態ではないと判断したとき、通常書換指示を行い、前記状態判断ステップが電力供給能力の低い状態と判断したときであっても、前記画像判断ステップが特別の画像であると判断したとき、通常書換指示を行う書換指示ステップと、
前記入力検出ステップにより表示画面上に表示される画像を書き換える操作の入力が検出されたときに、前記書換指示ステップによる指示に従って、前記表示駆動部に前記不揮発性表示部の表示画面上に表示される画像を書き換えさせる駆動制御ステップと、
をコンピュータにより実現する画像表示プログラム。
【発明の詳細な説明】
【技術分野】
【０００１】
本発明は、不揮発性表示部の表示画面上に表示される画像に応じた書換指示に従って、画像を書き換え、表示する画像表示装置に関する。
【背景技術】
【０００２】
従来の画像表示装置は、電力供給する電源の種類、供給電圧値などの条件に応じて予め定められた駆動方法で表示部の駆動を制御し、表示部に画像を表示する。例えば特許文献１に記載の画像表示装置においては、内部バッテリ電源の使用時に、外部電源の使用時と比べて消費電力が少なく、表示画像の画質が低い省電力駆動方法にて、表示部が駆動されて画像を表示する。また、内部バッテリ電源のバッテリ残量が所定量より少なくなった場合は、通常のバッテリ電源使用時と比べ更に消費電力が少ない駆動方法で、表示部が駆動されて画像を表示する。
【先行技術文献】
【特許文献】
【０００３】
【特許文献１】特開２００７−７２１９８号公報
【発明の概要】
【発明が解決しようとする課題】
【０００４】
しかしながら特許文献１に記載の画像表示装置においては、バッテリ電源使用時は常に省電力駆動方法により画像の書換表示が行われるので、ユーザが消費電力を考慮せず高画質で表示したい場合でも駆動方法を指定することができない。また、不揮発性表示装置は、書換電圧を印加されずに表示状態を維持することが可能であるが、バッテリ残量が少ない状況では省電力駆動方法で書換表示を行う。この省電力駆動方法での書換表示において、ユーザは、高画質の表示に書き換えてその表示を残したい場合や、一旦表示された機密情報を残すことなく綺麗に消去した表示状態に書き換えたい場合がある。このため、省電力駆動方法が行われている場合であっても、ユーザが望むときには、表示部は、バッテリ残量に応じた省電力駆動方法ではなく、ユーザの希望する表示状態に適した駆動方法に従って駆動される必要がある。
【０００５】
本発明は、上述した問題点を解決するためになされたものであり、電力の供給能力が低いとき、電力消費が少ない省電力書換が指示され、電力の供給能力が低いときであっても、ユーザが望む画像を表示するときは、通常書換による画像の書換表示を行う画像表示装置を提供することを目的とする。
【課題を解決するための手段】
【０００６】
この目的を達成するために、請求項１記載の画像表示装置は、画像を表示するための表示データを取得する表示データ取得部と、前記取得された表示データに従って画像を多数の画素により表示画面上に表示し、表示される画像を書き換えるための電力が少なくとも１つの画素に供給され、その画素への電力の供給が遮断されたときに画像の表示状態を保持することが可能な不揮発性表示部と、前記不揮発性表示部の表示画面上に表示される画像の書換の操作を入力するための入力部と、前記表示画面上の少なくとも１つの画素の表示状態を変化させるための電力を前記不揮発性表示部に供給可能な電源部と、前記電源部の電力供給状態を検出する状態検出部と、前記状態検出部により検出された電力供給状態が、電力供給能力の低い状態であるか否かを判断する状態判断部と、前記表示画面上に表示される画像が、予め定められた特別の画像であるか否かを判断する画像判断部と、前記表示画面上に表示される画像の書換を通常書換で行わせる通常書換指示と、前記表示画面上に表示される画像の書換を通常書換よりも少ない電力で書き換える省電力書換で行わせる省電力書換指示とのいずれかを指示可能であって、前記状態判断部が電力供給能力の低い状態と判断したとき、省電力書換指示を行い、前記状態判断部が電力供給能力の低い状態ではないと判断したとき、通常書換指示を行い、前記状態判断部が電力供給能力の低い状態と判断したときであっても、前記画像判断部が特別の画像であると判断したとき、通常書換指示を行う書換指示部と、前記不揮発性表示部を駆動する表示駆動部と、前記入力部による前記操作が入力されたときに、前記書換指示部により行われた指示に従って、前記表示駆動部を制御する駆動制御部を備える構成である。
【０００７】
請求項２記載の画像表示装置は、前記表示データ取得部により取得される表示データに対して、特別な画像か否かを示す画像判断情報を付加または削除する画像判断情報指示部を備え、前記画像判断部は、前記画像判断情報指示部による前記画像判断情報が前記表示データに付加されているか否かを判断する画像判断情報判断部を有し、前記画像判断部は、前記画像判断情報判断部により前記画像判断情報が前記表示データに付加されていると判断された場合に、前記画像判断情報が付加された前記表示データに基づいて前記表示画面上に次に表示される画像が特別の画像であると判断することを特徴とする構成である。
【０００８】
請求項３記載の画像表示装置は、前記表示データ取得部により取得される表示データは、複数の項目から選択するために前記表示画面上に表示される複数の選択項目画像を表す選択項目データを含み、前記画像判断部は、前記表示データに基づいて前記表示画面上に表示される画像が、前記選択項目画像か否かを判断する選択画像判断部を有し、前記画像判断部は、前記選択画像判断部により、前記表示データに基づいて前記表示画面上に表示される画像が、選択項目画像であると判断された場合に、その選択項目画像を表す前記表示データに基づいて前記表示画面上に次に表示される画像が特別の画像でないと判断することを特徴とする構成である。
【０００９】
請求項４記載の画像表示装置は、前記画像判断部は、前記入力部により前記表示画面上に表示される画像を書き換える操作が入力されたとき、前記表示画面上に現在表示されている画像が機密情報を含む画像であるか否かを判断する機密画像判断部を有し、前記画像判断部は、前記機密画像判断部により、前記表示データに基づいて前記表示画面上に現在表示されている画像が機密情報を含む画像であると判断されたとき、その機密情報を含む画像の次に前記表示画面上に表示される画像を特別の画像であると判断することを特徴とする構成である。
【００１０】
請求項５記載の画像表示装置は、前記画像判断部は、前記表示データ取得部により取得される表示データが、前記表示画面上に図形画像を表示するための図形表示データを含んでいるか否かを判断する図形画像判断部を有し、前記画像判断部は、前記図形画像判断部により前記表示データが前記図形表示データを含んでいると判断されたとき、前記図形表示データを含む前記表示データに基づいて前記表示画面上に次に表示される画像が特別の画像であると判断することを特徴とする構成である。
【００１１】
請求項６記載の画像表示装置は、前記表示画面上に所定の階調段階数を有する画像を表示するために、その表示される画像において前記表示データに従って特定される各画素の色の階調段階が所定の階調段階であるか否かを判断する画素色判断部と、前記画素色判断部により、前記表示画面上に表示される画像において所定の階調段階であると判断された画素の数を決定する画素数決定部と、を備え、前記画像判断部は、前記画素数決定部により決定された画素数が、前記表示画面上に表示される画像の全画素数に対して所定の割合以上か否かを判断する画素割合判断部を有し、前記画像判断部は、前記画素割合判断部により、所定の階調の画素数が、全画素数に対して所定の割合以上と判断された場合に、特別の画像であると判断することを特徴とする構成である。
【００１２】
請求項７記載の画像表示装置は、前記状態判断部は、前記状態検出部により検出された電力供給状態が、前記通常書換を行わせる場合において前記不揮発性表示部の表示画面上に表示された画像を書き換えるのに充分な前記電源部の通常電力供給能力より低く、第１の低電力供給能力以上の状態であるか否かを判断する第１の状態判断部と、前記状態検出部により検出された電力供給状態が、前記第１の低電力供給能力より低く、前記不揮発性表示部に表示される画像を所定の制限回数書き換えることが可能である第２の低電力供給能力以上の状態であるか否かを判断する第２状態判断部を有し、前記書換指示部は、前記第１の状態判断部が前記通常電力供給能力より低く且つ前記第１の低電力供給能力以上の状態であると判断したときに前記省電力書換指示を行い、前記第２の状態判断部が前記第１の低電力供給能力より低く且つ前記第２の低電力供給能力以上の状態であると判断したときに前記通常書換指示又は前記省電力書換指示を行うことを特徴とする構成である。
【００１３】
請求項８記載の画像表示方法は、画像を多数の画素により表示画面上に表示し、表示される画像を書き換えるための電力が少なくとも１つの画素に供給され、その画素への電力の供給が遮断されたときに画像の表示状態を保持することが可能な不揮発性表示部と、前記表示画面上の少なくとも１つの画素の表示状態を変化させるための電力を前記不揮発性表示部に供給可能な電源部を備える画像表示装置において、前記表示画面上に表示される画像の書換の操作を入力するための入力ステップと、前記電源部の電力供給状態を検出する状態検出ステップと、前記状態検出ステップにより検出された電力供給状態が、電力供給能力の低い状態であるか否かを判断する状態判断ステップと、前記表示画面上に表示される画像が、予め定められた特別の画像であるか否かを判断する画像判断ステップと、前記表示画面上に表示される画像の書換を通常書換で行わせる通常書換指示と、前記表示画面上に表示される画像の書換を通常書換よりも少ない電力で書き換える省電力書換で行わせる省電力書換指示とのいずれかを指示可能であって、前記状態判断ステップが電力供給能力の低い状態と判断したとき、省電力書換指示を行い、前記状態判断ステップが電力供給能力の低い状態ではないと判断したとき、通常書換指示を行い、前記状態判断ステップが電力供給能力の低い状態と判断したときであっても、前記画像判断ステップが特別の画像であると判断したとき、通常書換指示を行う書換指示ステップと、前記入力ステップにより表示画面上に表示される画像を書き換える操作が入力されたときに、前記書換指示ステップによる指示に従って、前記不揮発性表示部を駆動する駆動制御ステップを備える構成である。
【００１４】
請求項９記載の画像表示プログラムは、画像を多数の画素により表示画面上に表示し、表示される画像を書き換えるための電力が少なくとも１つの画素に供給され、その画素への電力の供給が遮断されたときに画像の表示状態を保持することが可能な不揮発性表示部と、前記表示画面上の少なくとも１つの画素の表示状態を変化させるための電力を供給可能な電源部と、前記電源部の電力供給状態を検出する状態検出部と、前記不揮発性表示部を駆動する表示駆動部を備える画像表示装置において、前記不揮発性表示部の表示画面上に表示される画像を書き換える操作の入力を検出するための入力検出ステップと、前記状態検出部により検出された電力供給状態が、電力供給能力の低い状態であるか否かを判断する状態判断ステップと、前記表示画面上に表示される画像が、予め定められた特別の画像であるか否かを判断する画像判断ステップと、前記表示画面上に表示される画像の書換を通常書換で行わせる通常書換指示と、前記表示画面上に表示される画像の書換を通常書換よりも少ない電力で書き換える省電力書換で行わせる省電力書換指示とのいずれかを指示可能であって、前記状態判断ステップが電力供給能力の低い状態と判断したとき、省電力書換指示を行い、前記状態判断ステップが電力供給能力の低い状態ではないと判断したとき、通常書換指示を行い、前記状態判断ステップが電力供給能力の低い状態と判断したときであっても、前記画像判断ステップが特別の画像であると判断したとき、通常書換指示を行う書換指示ステップと、前記入力検出ステップにより表示画面上に表示される画像を書き換える操作の入力が検出されたときに、前記書換指示ステップによる指示に従って、前記表示駆動部に前記不揮発性表示部の表示画面上に表示される画像を書き換えさせる駆動制御ステップを備える構成である。
【発明の効果】
【００１５】
請求項１記載の画像表示装置においては、不揮発性表示部の表示画面上に表示される画像の内容に応じて、書換指示が自動で判断される。電力供給能力が低い状態であると判断されるときは、通常書換より電力消費が少ない省電力書換を行わせる指示が自動で判断される。この結果、省電力書換指示による書換は、画像の表示にかかる電力が抑えられる。また、電力供給能力が低い状態であっても、不揮発性表示部の表示画像が特別の画像に書き換えられるときは、通常書換を行わせる指示が自動で行われる。そのため、不揮発性表示部に表示される画像が特別の画像であるときは、通常書換指示に対応した画質の高い書換が行われる。
【００１６】
請求項２記載の画像表示装置においては、画像判断情報指示部により表示データに対して特別な画像か否かを示す画像判断情報が付加及び削除される。画像判断情報判断部により、表示データに画像判断情報が付加されていると判断されると、画像判断情報判断部は、特別の画像であると判断する。ユーザは、画像判断情報指示部により表示データに対して、特別な画像を表す画像判断情報を付加することにより、電力供給能力が低い状態であると判断されたときであっても、駆動制御部は、ユーザにより付加された画像判断情報に従って、通常書換により表示画面上に表示される画像を書き換える。電力供給能力が低いと判断された場合であっても、ユーザが通常書換で画像を表示させたいときは、通常書換指示により不揮発性表示部に表示される画像を書き換えることができる。
【００１７】
請求項３記載の画像表示装置においては、不揮発性表示部に表示される画像が複数の項目から選択指示が可能な選択項目画像である場合、画像判断部により特別の画像でないと判断される。選択項目画像は、選択可能な複数の項目の違いを判断できればよく、表示される画像に精度は求められない。よって、表示データに従って選択項目画像が表示されるときは、省電力書換指示によりが省電力書換が行われればよい。この結果、選択項目画像が表示されるとき、必要のない消費電力が抑えられる。
【００１８】
請求項４記載の画像表示装置においては、機密画像判断部により、表示画面上に現在表示されている画像が機密情報を含む画像か否かが判断される。表示されている画像が機密情報を含む画像であると判断されると、画像判断部は、特別の画像であると判断する。現在表示されている画像が機密情報を含む画像であった場合は、表示されている画像の影響を残してはならない。現在表示されている画像の影響を残したくないとき、現在表示されている画像に応じて自動で通常書換指示が行われる。この結果、表示画面上に表示された画像が機密情報を含む画像であった場合は、自動で通常書換指示が行われ、次の書換が通常書換で行われる。これにより、機密情報を含む画像が現在表示されている場合、この機密情報の画像の影響を残すことなく、綺麗に表示が書き換えられ、機密情報が表示画面上に残ることが防止される。
【００１９】
請求項５記載の画像表示装置においては、図形画像判断部により、表示データに図形表示データを含んでいるか否かが判断され、図形表示データを含んでいないと判断されたとき、画像判断部は、特別の画像と判断する。図形表示データを含まない表示データに従って画像が表示されるとき、不揮発性表示部には文字が表示される。表示画面上に表示される画像が文字により構成される場合は、文字が読めればよく、多階調表示などの高い画質が求められることはない。図形表示データを含まない表示データに従った画像が表示されるときは、消費電力が抑えられた書換が行われる。また、図形表示データを含む表示データに従った画像が表示されるときは、通常書換指示が自動で行われ、図形を含む画像が高い画質で表示される。
【００２０】
請求項６記載の画像表示装置においては、画素割合判断部により、不揮発性表示部に所定の階調段階数で表示可能な画像について、全画素数に対する所定階調段階の画素数の割合が所定の割合以上か否かが判断される。画像判断部は、画素割合判断部により所定階調段階の画素数が所定の割合以上と判断されたとき、特別の画像と判断する。画像判断部により特別の画像であると判断された画像を書き換えるときは、通常書換指示が行われ、通常書換が行われる。例えば、状態判断部により、電力供給能力の低い状態であると判断された場合であっても、グレー階調の表示が必要な画像を特別の画像と判断することにより、通常書換指示が行われ、通常書換による画像の書換が行われる。この結果、電力供給能力の低い状態であって、特別な画像であると判断されないときは、電力消費を抑えた画像の書換が行われる。グレー階調などの多階調表示が必要な画像が書き換えられるときのみ、通常書換により画質を優先して書換が行われる。
【００２１】
請求項７記載の画像表示装置においては、第１の状態判断部と第２の状態判断部とにより２段階で電力供給能力が判断され、電力供給能力に応じた書換が指示される。第１の状態判断部が、電源部の通常電力供給能力より低く、第１の低電力供給能力以上の状態であると判断したとき、書換指示部は、省電力書換を指示する。また、第２状態判断部が、第１の低電力供給能力より低く、第２の低電力供給能力以上の状態であると判断したとき、書換指示部は、書換を指示する。不揮発性表示部に表示される画像が特別の画像でない場合に、省電力書換指示により書換が行われ、電力消費が抑えられる。不揮発性表示部に表示される画像が特別の画像である場合には、電源部の電力供給能力が第２の低電力供給能力以上の状態であるとき、通常書換指示が自動で行われ、特別の画像が高い画質で表示される。一方、電源部の電力供給能力が第２の低電力供給能力より低いとき、電源部は、画像が所定の制限回数書き換えられることが可能な電力供給能力の状態にないことから、書換指示が行われない。これにより、画像が書換により途中まで書き換えられ、その後に供給電力の不足により中止されることがなく、不完全な画像が表示画面に保持されることが防止される。
【００２２】
請求項８記載の画像表示方法においては、画像判断ステップにより、表示画面上に表示される画像が特別の画像であるか否かが判断される。状態判断ステップにより電力供給状態の低い状態であると判断されたとき、表示画面上に表示される画像を通常書換より少ない電力消費で書き換える省電力書換が指示される。状態判断ステップにより電力供給状態の低い状態であると判断されたとき、画像判断ステップにより特別の画像と判断されると、書換指示ステップにより通常書換が指示され、駆動制御ステップにより、表示される画像が通常書換により書き換えられる。不揮発性表示部の表示画面上に表示される画像の内容に応じて、通常書換又は省電力書換が自動で指示される。電力供給能力が低い状態において、表示画面上の表示が特別の画像でないときは、省電力書換が自動で指示される。この結果、省電力書換指示が行われたときは、画像の表示にかかる電力が抑えられる。また、不揮発性表示部に表示される画像が特別の画像であるときは、通常書換指示に対応した高い画質で書換が行われる。
【００２３】
請求項９記載の画像表示プログラムにおいては、画像判断ステップにより、表示画面上に表示される画像が特別の画像であるか否かが判断される。状態判断ステップにより電力供給状態の低い状態であると判断されたとき、表示画面上に表示される画像を通常書換より少ない電力消費で書き換える省電力書換が指示される。状態判断ステップにより電力供給状態の低い状態であると判断されたとき、画像判断ステップにより特別の画像と判断されると、書換指示ステップにより通常書換が指示され、駆動制御ステップにより、表示される画像が通常書換により書き換えられる。不揮発性表示部の表示画面上に表示される画像の内容に応じて、通常書換又は省電力書換が自動で指示される。電力供給能力が低い状態において、表示画面上の表示が特別の画像でないときは、省電力書換が自動で指示される。この結果、省電力書換指示が行われたときは、画像の表示にかかる電力が抑えられる。また、不揮発性表示部に表示される画像が特別の画像であるときは、通常書換指示に対応した高い画質で書換が行われる。
【図面の簡単な説明】
【００２４】
【図１】本発明の実施形態に係る画像表示装置１の外観を示す正図面である。
【図２】本実施形態における不揮発性表示部２の画素空間２０を拡大して示す拡大図である。
【図３】図２に示す上記画素空間２０の内部構成を拡大して示すＡ−Ａ線に従う断面図である。
【図４】上記画像表示装置１の電気的構成を示すブロック図である。
【図５】本実施形態における各表示データを構成する構成データの内容を説明する説明図である。
【図６】メモリカード７に記憶される各表示データを構成する構成データの内容を説明する説明図である。
【図７】本実施形態におけるＲＯＭ４２に記憶されるプログラムの記憶領域を示す説明図である。
【図８】本実施形態における書換波形テーブルＰ２の記憶内容を示す説明図である。
【図９】本実施形態における階調変換対応表Ｐ４の記憶内容を示す説明図である。
【図１０】本実施形態におけるＲＡＭ４３に一時記憶されるデータの記憶領域を示す説明図である。
【図１１】本実施形態における表示駆動部の電気的構成を示すブロック図である。
【図１２】本実施形態における駆動パルス電圧を示す波形図である。
【図１３】本実施形態における書換メイン処理を示すフローチャートである。
【図１４】上記書換メイン処理において不揮発性表示部２の表示画面が遷移する状態を説明する説明図である。
【図１５】本実施形態におけるユーザ指定処理を示すフローチャートである
【図１６】上記ユーザ指定処理において不揮発性表示部２の表示状態を説明する説明図である。
【図１７】本実施形態における書換モード判断処理を示すフローチャートである
【図１８】本実施形態における通常書換モードにおける書換処理を示すフローチャートである。
【図１９】本実施形態における省電力書換モードにおける書換処理を示すフローチャートである。
【発明を実施するための形態】
【００２５】
以下、本発明を電気泳動型の画像表示装置に適用した一実施形態について図面を参照して説明する。
【００２６】
まず、図１を参照して、本実施形態に係る画像表示装置１の外観構成を説明する。図１は、画像表示装置１の正面図である。不揮発性表示部２が、画像表示装置１の正面に配置されている。不揮発性表示部２は、文字、記号及び図形を含む多数のページ画像を表示し、電力供給が断たれても表示状態を保持することが可能である。本実施形態では、不揮発性表示部２の一例として電気泳動ディスプレイ（ＥＰＤ）が使用される。また、前進ボタン３ａと後退ボタン３ｂと、指定ボタン３ｃとが、不揮発性表示部２の左側に配置されている。前進ボタン３ａは、表示を１ページ前の画像に変更するために操作可能であり、後退ボタン３ｂは表示を１ページ後の画像に変更するために操作可能である。指定ボタン３ｃは、ユーザが表示される画像の表示データに、情報を付加又は削除する指定を行うために操作可能である。更に、前進ボタン３ａ及び後退ボタン３ｂは、表示データに情報を付加又は削除する指定を行うとき、情報の項目を選択することが可能である。電源ボタン３ｄが、不揮発性表示部２の左側であって、前進ボタン３ａ及び後退ボタン３ｂの下方に配置されている。尚、本実施形態における不揮発性表示部２が、本発明の不揮発性表示部の一例であり、前進ボタン３ａと後退ボタン３ｂとが、本発明の入力部の一例である。本発明における前進ボタン３ａと後退ボタン３ｂと、指定ボタン３ｃとが、本発明の画像判断情報指示部の一例である。
【００２７】
図２及び図３を参照して、不揮発性表示部２の具体的構成について説明する。図２は不揮発性表示部２の拡大図であり、不揮発性表示部２に表示される画像を構成する多数の画素空間２０の配列を示している。各画素空間２０は、それぞれ不揮発性表示部２に配置された図３に示す多数の画素電極２２に対応している。各画素空間２０は、各画素電極２２に電圧が印加されることにより不揮発性表示部２の表示が変化する最小領域の空間である。説明の便宜上、図２では、不揮発性表示部２における４×４の画素空間２０を示している。
【００２８】
図３を参照して、不揮発性表示部２の内部構成を説明する。図３は、図２のＡ−Ａ線矢視方向断面図であり、連続した複数の画素空間２０を示している。図３における上方を不揮発性表示部２の上側とし、図３における下方を不揮発性表示部２の下側とする。素子基板２１が、不揮発性表示部２の底面に配置されており、画素電極２２が基板２１上に配列されている。各画素空間２０が、画素電極２２の配置位置に合わせて、画素電極２２上に構成される。仕切板２３が、画素電極２２と透明電極２７との間を、多数の画素空間２０に区切る。各画素空間２０には、白色帯電粒子２４と黒色帯電粒子２５とが混在しており、分散媒２６が封入されている。白色帯電粒子２４及び黒色帯電粒子２５と、分散媒２６とは比重が略同じである。電圧は、画素空間２０の各粒子及び分散媒２６の分布状態を保持するためには印加されない。仕切板２３は、画素空間２０の各粒子及び分散媒２６が水平方向に移動することを防ぐ。また、透明電極２７が、画素電極２２に対向する。透明基盤２８が透明電極２７上に配置されている。保護膜２９が、画素電極２２及び透明電極２７において、分散媒２６が接する面に、設けられる。尚、電圧が画素電極２２に印加されることにより、白色帯電粒子２４及び黒色帯電粒子２５が移動する。本実施形態において表示画面上の色が変わる最小領域である各画素電極２２に対応する各画素空間２２が、本発明の１つの画素に対応する。本実施形態では、画素電極２２に正の電圧が印加されると、黒色帯電粒子２５が上側へ移動して、不揮発性表示部２には黒色が表示される。画素電極２２に負の電圧が印加されると、白色帯電粒子２４が上側へ移動し、黒色帯電粒子２５が下側へ移動して不揮発性表示部２には白色が表示される。不揮発性表示部２において、黒色又は白色を表示させるために印加される電圧と逆極性の電圧が印加されることにより、各粒子２４、２５が各画素空間２２の中間位置に移動し、白色と黒色との混色による複数階調の色の表示が可能である。白色と黒色との混色により表示される複数階調の色は、濃いグレー及び薄いグレーである。尚、本実施形態における「書き換えられる」とは、画素の表示状態を変化させることである。表示状態は、画素電極２２に電圧が印加され、各粒子２４、２５が移動することにより、変化される。
【００２９】
＜画像表示装置の電気的構成＞
図４を参照し、画像表示装置１の電気的構成について説明する。図４は、画像表示装置１の電気的構成を示すブロック図である。図４に示すように、画像表示装置１は、不揮発性表示部２と、操作部３と、主表示制御部４と、バッテリ５と、電力残量検出部６とにより構成される。電力残量検出部６が、バッテリ５に接続されている。バッテリ５は、画像表示装置１の各構成に電力を供給する。不揮発性表示部２は、バッテリ５がドライバ４６に電力を供給することにより、画像を表示させる。電力残量検出部６は、バッテリ５が有する電力残量を検出することが可能である。メモリカード７は、インタフェース８を介して画像表示装置１に着脱可能に接続される。尚、本実施形態におけるバッテリ５が、本発明の電源部の一例である。本実施形態における電力残量検出部６が、本発明の状態検出部の一例であり、電力残量検出部６により、バッテリ５の電力残量が検出される動作が、本発明の状態検出ステップの一例である。
【００３０】
インタフェース８は、操作部３とメモリカード７とに接続している。操作部３は、前進ボタン３ａと後退ボタン３ｂとを含む複数のボタンにより構成される。インタフェース８は、操作部３が押下されると、操作信号を主表示制御部４に供給する。メモリカード７は、不揮発性表示部２に表示するための表示データを記憶している。表示データは、テキストデータ及びイメージデータなどの表示可能なデータである。メモリカード７は、表示データの読み出しと書き込みとを行うことが可能である。メモリカード７に記憶される表示データは、インタフェース８を通して、主表示制御部４に供給される。尚、本実施形態におけるメモリカード７とインタフェース８とが表示データ取得部の一例であり、前進ボタン３ａ及び後退ボタン３ｂが押下される動作が、本発明の入力ステップの一例である。
【００３１】
＜主表示制御部の電気的構成＞
主表示制御部４は、制御部４０と、コントローラ部４５と、ドライバ４６と、薄膜トランジスタ４７（Ｔｈｉｎ  Ｆｉｌｍ  Ｔｒａｎｓｉｓｔｏｒ：以下「ＴＦＴ」）とにより構成される。制御部４０は、ＣＰＵ４１と、ＲＯＭ４２と、ＲＡＭ４３とにより構成される。ＣＰＵ４１は画像表示装置１全体の制御を行い、ＲＯＭ４２は複数のプログラム及びプログラム実行時に読み出される設定データを記憶し、ＲＡＭ４３はプログラムの処理結果を表すデータを一時記憶する。ＣＰＵ４１は、ＲＯＭ４２及びＲＡＭ４３とともにコンピュータを構成する。コントローラ部４５はＣＰＵ４１と接続され、ドライバ４６はコントローラ部４５に接続されている。ＴＦＴ４７は、ドライバ４６に接続されている。
【００３２】
＜メモリカードの説明＞
図５及び図６を参照し、メモリカード７に記憶された表示データの構成について説明する。図５は、１つ表示データを構成する構成データを説明する表示データ構成説明図である。各表示データは、画素データＤ１と、機密データＤ２と、特定データＤ３と、グレー階調データＤ４と、図形データＤ５と、選択データＤ６とから構成される。画素データＤ１は、不揮発性表示部２に画像を表示させるための各画素に関する構成データである。機密データＤ２は、表示データが機密のデータであるか否かを示す構成データであり、機密のデータである場合は「１」に設定され、機密のデータでない場合は「０」に設定される。特定データＤ３は、表示データがユーザにより特定されたデータであるか否かを示す構成データであり、特定されたデータである場合は「１」に設定され、特定されたデータでない場合は「０」に設定される。グレー階調データＤ４は、表示データが不揮発性表示部２に表示される場合の画像の全画素数におけるグレー階調の画素数の割合を示す。グレー階調データＤ４は、４つのグレー階調データＤ４１〜Ｄ４４から構成される。グレー階調の画素数が全画素数の８０％のときはグレー階調データＤ４１が「１」に設定され、４０％のときはグレー階調データＤ４２が「１」に設定され、２０％のときはグレー階調データＤ４３が「１」に設定され、１０％のときはグレー階調データＤ４４が「１」に設定される。画像の全画素数におけるグレー階調の画素数の割合は、１０％単位でグレー階調データＤ４に記憶される。グレー階調の画素数が全画素数の３０％又は、５０％又は、６０％又は、７０％又は、９０％又は１００％のときは、各グレー階調データＤ４１〜Ｄ４４の和により、グレー階調の画素数の割合を示す。例えば５０％のときはグレー階調データＤ４２と、グレー階調データＤ４４とが「１」に設定される。９０％のときは、グレー階調データＤ４１と、グレー階調データＤ４４とが「１」に設定される。全画素数におけるグレー階調の画素数の割合が、それぞれのグレー階調データの割合に該当しないときは、当該グレー階調データが「０」に設定される。尚、本実施形態におけるグレー階調は、薄いグレー及び濃いグレーを示す。図形データＤ５は、表示データに従って不揮発性表示部２に画像が表示されたとき、表示データに従って表示される画像に図形が含まれる表示データであるか否かを示す構成データである。図形が含まれるデータである場合は「１」に設定され、図形が含まれないデータである場合は「０」に設定される。選択データＤ６は、表示データに従って不揮発性表示部２に表示される画像が、選択項目を含む表示データであるか否かを示す。選択項目が含まれる表示データである場合は「１」に設定され、選択項目が含まれないデータである場合は「０」に設定される。
【００３３】
図６は、メモリカード７に記憶される各表示データを構成する構成データの内容を説明する説明図である。メモリカード７は複数の表示データを記憶している。本実施形態において、表示データ７Ａ及び表示データ７Ｂの２つの表示データに基づいた画像が不揮発性表示部２に表示される場合を説明する。表示データ７Ａは、機密データＤ２と、特定データＤ３と、グレー階調データＤ４と、図形データＤ５とが「０」に設定されており、選択データＤ６が「１」に設定されている。表示データ７Ｂは、機密データＤ２と、特定データＤ３とが「０」に設定されている。グレー階調データＤ４１とグレー階調データＤ４２とが「１」に設定されており、グレー階調データＤ４３とグレー階調データＤ４４とが「０」に設定されている。図形データＤ５が「１」に設定されており、選択データＤ６が「０」に設定されている。
【００３４】
＜ＲＯＭの説明＞
図７を参照し、ＲＯＭ４２の記憶内容を説明する。図７はＲＯＭ４２に記憶されたプログラムの記憶領域を示している。ＲＯＭ４２は、記憶領域４２１〜４２４の４つの領域から構成される。記憶領域４２１は、書換メイン処理プログラムＰ１を記憶する。書換メイン処理プログラムＰ１は、前進ボタン３ａまたは後退ボタン３ｂによる書換の操作の入力がおこなわれたとき、書換処理を通常書換により行うか省電力書換により行うかを判断し、判断に基づいた書換指示に従って、不揮発性表示部２の表示画像を書き換えるプログラムである。書換メイン処理プログラムＰ１は、書換判断に従って通常書換モード又は省電力書換モードを設定し、書換モードに従って書換を行う。本実施形態において、通常書換モードに従って画像の書換を行わせることが、本発明の通常書換指示であり、省電力書換モードに従って書換を行わせることが、本発明の省電力書換指示である。記憶領域４２２は、書換波形テーブルＰ２を記憶する。書換メイン処理プログラムＰ１は、不揮発性表示部２の表示画像を書き換えるとき、書換波形テーブルＰ２に従って、表示画像を書き換えるために印加される電圧の波形データを特定する。本実施形態では、波形データとして、波形番号を表す波形番号データを例に後述にて説明する。記憶領域４２３は、表示色決定プログラムＰ３を記憶する。表示色決定プログラムＰ３は、メモリカード６に記憶されている表示データを読み出し、不揮発性表示部２の表示画像の画素毎に表示色を決定する。記憶領域４２４は、階調変換対応表Ｐ４を記憶する。表示色決定プログラムＰ３は、表示画像の画素毎の表示色の階調段階数を変更する必要がある場合に、階調変換対応表Ｐ４に従って、画素毎の表示色を階調段階数の少ない表示色に変更する。本実施形態において、画素毎の表示色を階調段階数の少ない表示色に変更するとき、階調段階数は「４」から「２」に変更する。階調段階数が「４」のときの画素毎の表示色は、白、薄いグレー、濃いグレー、黒のいずれかの色であり、「２」のときの表示色は、白又は黒である。
【００３５】
図８を参照して、書換波形テーブルＰ２の内容を説明する。書換波形テーブルＰ２は、不揮発性表示部２に現在表示されている画像の各画素である書換前の各画素の表示色データと、次に書き換えられる画像の各画素である書換後の各画素の表示色データと、両表示色情報に対応した波形番号を表す波形番号データとを記憶する。説明の便宜上、本実施形態では、画素毎の表示色の階調段階数が「４」の場合における表示色については、白色は「０」、薄いグレーは「１」、濃いグレーは「２」、黒色は「３」の色番号を付して説明する。階調段階数の少ない表示色に変更された場合の表示色は、白色は「０」、黒色は「３」による２値である。書換波形テーブルＰ２において、不揮発性表示部２の一画素を白「０」から書き換えるとき、波形番号データは「１」〜「４」が対応する。薄いグレー「１」から書き換えるとき、波形番号データは「５」〜「８」が対応する。濃いグレー「２」から書き換えるとき、波形番号データは「９」〜「１２」が対応する。黒「３」から書き換えるとき、波形番号データは「１３」〜「１６」が対応する。例えば、不揮発性表示部２の一画素を白「０」から白「０」に書き換えるとき、波形番号データは「１」である。濃いグレー「２」から白「０」に書き換えるとき、波形番号データは「９」である。不揮発性表示部２の一画素を薄いグレー「１」から濃いグレー「２」に書き換えるとき、波形番号データは「７」である。黒「３」から黒「３」に書き換えるとき、波形番号データは「１６」である。
【００３６】
図９を参照して、階調変換対応表Ｐ４の内容を説明する。階調変換対応表Ｐ４は、不揮発性表示部２が表示可能な階調段階数に従った色データである元の階調と、その元の階調の階調段階数よりも少ない階調段階数に従った色データである変更後の階調とを記憶する。表示データのグレー階調データＤ４に「１」が設定され、グレー階調の画素数があるとき、不揮発性表示部２が表示可能な階調段階数よりも少ない階調段階数に従った色データを求めることが可能である。例えば、元の階調が白「０」の色データを元の階調の階調段階数よりも少ない階調段階数に従った色データに変更するときは白「０」に、元の階調が薄いグレー「１」を、少ない階調段階数に従った色データに変更するときは、白「０」に変更される。同様に、元の階調における薄いグレー「２」の色データは黒「３」に、元の階調における黒「３」は黒「３」に変更される。
【００３７】
図１０を参照して、ＲＡＭ４３の記憶内容を説明する。図１０はＲＡＭ４３に記憶されたデータの一時記憶領域を示す。ＲＡＭ４３は、一時記憶領域４３１、４３２の２つの領域から構成される。一時記憶領域４３１は、現表示データＤＰ１を記憶する。現表示データＤＰ１は、不揮発性表示部２に現在表示されている画像を表示するための表示データである。メモリカード７から読み出された表示データに基づき、表示色決定プログラムＰ３によって決定された色データが、現表示データＤＰ１である。一時記憶領域４３２は、書換モード情報ＤＰ２を記憶する。書換モード情報ＤＰ２は、ＣＰＵ４１により判断された書換モードの情報である。書換モード情報ＤＰ２は、通常書換モードの場合は「１」に設定され、省電力書換モードの場合は「０」に設定される。
【００３８】
図４のコントローラ部４５は、ＣＰＵ４１から表示画面上の画像の書換に必要な電圧の波形番号データを受け取る。コントローラ部４５は、各波形番号データに従った図１２に示す波形を複数記憶する。書換波形テーブルに１６種類の波形番号データが記憶されているとき、コントローラ部４５は、波形番号データに対応した１６種類の波形を記憶する。コントローラ部４５は、波形番号データに基づいて、ドライバ４６が各画素電極２２に印加する電圧の波形を特定し、その特定した波形の電圧の印加をドライバ４６に指令する。尚、本実施形態におけるコントローラ部４５が、本発明の駆動制御部の一例である。
【００３９】
＜ドライバとＴＦＴの接続関係＞
図１１に示すように、ドライバ４６は、ゲートドライバ４６１とソースドライバ４６２とから構成される。図１１は、本実施形態におけるドライバ４６の一部の構成を示している。ゲートドライバ４６１は、多数のゲート線４６３と接続され、ソースドライバ４６２は、多数のソース線４６４と接続されている。ゲート線４６３とソース線４６４とは、互いに交差するように配線されている。ＴＦＴ４７が、ゲート線４６３とソース線４６４との各交差部近傍に接続されている。ＴＦＴ４７のゲート端子４６５がゲート線４６３に接続され、ＴＦＴ４７のソース端子４６６がソース線４６４に接続されている。また、ＴＦＴ４７のドレイン端子４６７が不揮発性表示部２の一部である画素電極２２に接続されている。
【００４０】
ソース線４６４への印加電圧は、不揮発性表示部２の透明電極２７の電位を基準電位として定められた電圧である。ドライバ４６は、コントローラ部４５により特定される波形の電圧を画素電極２２に印加する。コントローラ部４５は、ゲートドライバ４６１がゲート線４６３に供給するゲート制御電圧と、ソースドライバ４６２がソース線４６４に印加する駆動パルス電圧とを制御する。ゲートドライバ４６１は、ゲート線４６３にＴＦＴ４７をオンにするためのゲート制御電圧を供給する。ＴＦＴ４７は、ゲート制御電圧が供給されるか否かで、オン・オフ動作を行う。ゲート制御電圧がゲート線４６３を通しＴＦＴ４７のゲート端子４６５に供給されると、ＴＦＴ４７がオンとなり、ソース線４６４に印加された駆動パルス電圧が画素電極２２に印加され、画素の表示状態の変化が可能となる。ソースドライバ４６２は、正のパルス電圧と負のパルス電圧とを切り換えて選択的にソース線４６４に発生させ、画素電極２２に印加する。尚、本実施形態では、画像表示装置１はアクティブマトリクス方式であるが、パッシブマトリクス方式で構成されていてもよい。尚、本実施形態におけるドライバ４６とＴＦＴ４７とが、本発明の表示駆動部の一例である。
【００４１】
＜駆動パルス電圧の構成＞
図１２を参照して、ソースドライバ４６２が画素電極２２に印加する駆動パルス電圧８０について説明する。図１１は、ソースドライバ４６２が印加する駆動パルス電圧８０の波形図である。図１１に示す波形図においては、縦軸が印加電圧を、横軸が印加時間を表す。本実施形態において、「駆動パルス」は、不揮発性表示部２に印加されるパルス電圧の波形を意味し、「駆動パルス電圧」は、書換波形を有するパルス電圧を意味する。本実施形態における不揮発性表示部２に印加される電圧の書換波形としては、表示色特定プログラムＰ１に従って特定された色に基づいて、波形が特定可能である。本実施形態における通常書換モードにおける書換は、白色、薄いグレー、濃いグレー、黒色の４階調により画像が不揮発性表示部２に表示される。省電力書換波形の電圧が印加されるときは、白色及び黒色の２値により画像が表示される。書換波形の駆動パルス電圧８０は、シェイキングパルス電圧８１と、リセットパルス電圧８２と、書換パルス電圧８３と、制動パルス電圧８４とによって構成される。駆動パルス電圧８０は、不揮発性表示部２の表示が書き換えられる時に、ソースドライバ４６２が画素電極２２に印加するパルス電圧である。
【００４２】
シェイキングパルス電圧８１は、不揮発性表示部２の表示を新たに書き換えるため、ソースドライバ４６２により印加されるパルス電圧である。シェイキングパルス電圧８１は、極性を交互に変えた電圧であり、画素電極２２と透明電極２７との間に印加された時に両電極近傍に分布する粒子の静止を解除する作用を有する。シェイキングパルス電圧８１は、粒子の静止を解除するためには十分であり、粒子を反対側の電極へ到達させるには不十分な電圧である。また、シェイキングパルス電圧８１は、不揮発性表示部２の画素の表示状態が変化する時に、粒子をすばやく移動させるために印加される。シェイキングパルス電圧８１により、不揮発性表示部２は、画素の表示状態の変化前における画素空間２０の粒子分布状態の影響を残すことなく、新たな表示状態に変化することから、表示の再現性が良くなる。
【００４３】
リセットパルス電圧８２は、不揮発性表示部２の表示を書き換えるときに、画素空間２０の現在の粒子分布状態の影響を残さないために、ソースドライバ４６２により印加されるパルス電圧である。画素空間２０の粒子分布状態は、リセットパルス電圧８２として、画素電極２２に正の電圧が印加されることにより、全ての画素空間２０において同じ状態になる。
【００４４】
書換パルス電圧８３は、シェイキングパルス電圧８１の印加によって移動しやすくなった粒子を、両電極２２、２７へ到達させるためのパルス電圧である。すなわち、移動可能になった粒子は、両電極２２、２７の間に新たに印加された書換パルス電圧により、両電極へ到達することができる。書換パルス電圧８３は、不揮発性表示部２の画素の表示状態を変化させるためのパルス電圧である。表示データに従った色を表示させるために、書換パルス電圧８３が画素電極２２に印加されることにより、粒子が移動する。画素電極２２に正の書換パルス電圧が印加されると、白色帯電粒子２４が画素電極２２近傍に移動し、黒色帯電粒子２５が透明電極２７近傍に移動する。その結果、不揮発性表示部２には黒色「３」が表示される。画素電極２２に正の書換パルス電圧が印加され、不揮発性表示部２に黒色「３」が表示された後、続けて負の書換パルス電圧が、正の書換パルス電圧が印加された時間より短い時間、画素電極２２に印加されると、黒色帯電粒子２５の一部が両電極間の中間に移動する。その結果、不揮発性表示部２には、濃いグレー「２」が表示される。一方、画素電極２２に負の書換パルス電圧が印加されると、黒色帯電粒子２５が画素電極２２近傍に移動し、白色帯電粒子２４が透明電極２７近傍に移動する。その結果、不揮発性表示部２には白色「０」が表示される。画素電極２２に負の書換パルス電圧が印加され、不揮発性表示部２に白色「０」が表示された後、続けて正の書換パルス電圧が、負の書換パルス電圧が印加された時間より短い時間、画素電極２２に印加されると、白色帯電粒子２４の一部が両電極間の中間に移動する。その結果、不揮発性表示部２には、薄いグレー「１」が表示される。書換パルス電圧８３は、白色「０」及び黒色「３」を表示させる場合より、薄いグレー「１」及び濃いグレー「２」を表示させる場合のほうが、色を表示させるために多くの印加時間が必要とされる。
【００４５】
制動パルス電圧８４は、書換パルス電圧８３によって両電極２２、２７に引き寄せられた粒子の移動を止める作用を有する。制動パルス電圧８４は、ソースドライバ４６２が、書換パルス電圧８３として最後に印加したパルス電圧の極性と反対の極性のパルス電圧を画素電極２２に印加する。例えば、不揮発性表示部２に黒色または薄いグレーの表示を行うために、ソースドライバ４６２が書換パルス電圧８３として最後に画素電極２２に正のパルス電圧を印加した場合は、ソースドライバ４６２は制動パルス電圧８４として画素電極２２に負のパルス電圧を印加する。不揮発性表示部２に白色「０」または濃いグレー「２」の表示を行うために、書換パルス電圧８３として最後に画素電極２２に負のパルス電圧を印加した場合は、ソースドライバ４６２は制動パルス電圧８４として画素電極２２に正のパルス電圧を印加する。上記のように、ソースドライバ４６２は、両帯電粒子２４、２５を移動させるために、画素電極２２に駆動パルス電圧８０を印加する。
【００４６】
＜画像表示装置の動作及び作用＞
以上説明した構成を備える本実施形態に係る画像表示装置１の動作及び作用について、図面を参照して説明する。図１３は、書換メイン処理の手順を示すフローチャートである。図１４は、不揮発性表示部２の表示画面の状態を表し、図１４（Ａ）、（Ｂ）、（Ｃ）は書換メイン処理実行時において、所定の表示データに従って画像が不揮発性表示部２の表示画面に表示される状態を示す説明図である。書換メイン処理は、電源ボタン３ｃが押下され、バッテリ５から電力供給が行われることにより、開始される。バッテリ５から電力が主表示制御部４に供給された場合に、主表示制御部４に備えられるＣＰＵ４１が書換メイン処理プログラムを実行する。本実施形態の動作は、ＣＰＵ４１及びコントローラ部４５により実行される処理である。コントローラ部４５は、ＣＰＵ４１により不揮発性表示部２の表示の書換が指令されると、不揮発性表示部に電圧を印加させる処理を開始する。図１４（Ａ）は、画像表示装置１にバッテリ５から電力が供給されたときに、不揮発性表示部２が表示する表示状態を示す説明図である。図１４（Ａ）に示す表示状態は、不揮発性表示部２が表示可能の階調段階数である４階調による画像が表示されている状態である。図１４（Ｂ）は、選択項目を備える画像が白色及び黒色の２値により表示される不揮発性表示部２における表示状態を示す。図１４（Ｃ）は、表示データにしたがって画像が４階調により表示される表示状態を示す。不揮発性表示部２の表示状態は、不揮発性表示部２へ電圧が印加されなくても保持されている。以下、図１３に示すフローチャートに従って、書換メイン処理を説明する。
【００４７】
＜書換メイン処理＞
書換メイン処理において、書換指示が行われると、電力残量が検出される。検出された電力残量の値が規定値以下であった場合は、省電力書換モードが設定される。不揮発性表示部２の表示は、省電力書換モードにより書き換えられる。書換メイン処理において、不揮発性表示部２に表示される画像が特別の画像であると判断されたときは、省電力書換モードが設定されている場合であっても、通常書換モードに設定が変更され、画像が書き換えられる。
【００４８】
書換メイン処理においては、不揮発性表示部２に表示される画像を書き換えるとき、表示される画像が特別の画像である場合は、通常書換モードにより画像が書き換えられる。表示データが、特定の表示データ、機密データの次のページの表示データ、図形データを有する表示データ、及び表示画像の画素のグレー階調が所定割合以上である表示データのいずれかであるとき、特別の画像と判断される。画像の書換指示は、前進ボタン３ａまたは後退ボタン３ｂにより、行われる。また、特定の表示データと、機密データを有する表示データとに対する指定及び解除のいずれを選択するかの選択指示は、指定ボタン３ｃの操作により行われる。特定の表示データと、機密データを有する表示データとに対して情報の付加及び削除のデータ処理を指示するデータ処理指示は、前進ボタン３ａまたは後退ボタン３ｂにより、行われる。具体的な処理手順について、以下に説明する。
【００４９】
書換メイン処理が開始されると、ステップＳ１では、ユーザが表示データに対して情報の指定を行う指示があるのか否かが判断される。ユーザ指定処理の指示は、不揮発性表示部２に備わる指定ボタン３ｃによる指示があるか否かにより判断される。ユーザ指定処理の指示があると判断されると（Ｓ１：ＹＥＳ）、ステップＳ２の処理が実行される。ユーザ指定処理の指示があると判断されなければ（Ｓ１：ＮＯ）、ステップＳ３の処理が実行される。
【００５０】
ステップＳ２では、ユーザ指定処理が開始される。不揮発性表示部２に表示される画像の表示データに対する特定ページ又は機密ページの選択と、指定及び解除の指示とが、前進ボタン３ａ及び後退ボタン３ｂと、指定ボタン３ｃとが操作されることにより、データ処理が行われる。たとえば、前進ボタン３ａまたは後退ボタン３ｂの操作により、特定ページまたは機密ページのいずれかを選択する。特定ページが選択されたとき、指定ボタン３ｃの操作により、特定ページの指定またはその指定の解除が指示され、特定ページの表示データに対するデータ処理指示が行われる。特定ページの指定指示が指示されれば、特定ページであることを示す情報が表示データに付加される。また、特定ページの指定を解除する解除指示が指示されれば、特定ページであることを示す情報が表示データから削除される。機密データの次のページの表示データに対する処理も、特定ページの表示データに対する処理と同様に行われる。ユーザ指定処理は後述により詳細に説明する。
【００５１】
ステップＳ３では、不揮発性表示部２の表示を書き換える指示があるのか否かが判断される。書換指示があると判断されると（Ｓ３：ＹＥＳ）、ステップＳ４の処理が実行される。書換指示があると判断されないと（Ｓ３：ＮＯ）、ステップＳ１０の処理が実行される。尚、本実施形態におけるステップＳ３の処理が、本発明の入力検出ステップの一例である。
【００５２】
ステップＳ４では、通常書換モードが設定される。ＲＡＭ４３の一時記憶領域４３２に、通常書換モードを示す「１」が、モード情報フラグＤＰ２として記憶される。
【００５３】
ステップＳ５では、画像表示装置１が備えるバッテリの電力残量が規定値Ｖ１以下か否かが判断される。本実施形態における規定値Ｖ１は、バッテリが蓄電可能な電力量の３割である。電力残量が規定値Ｖ１以下と判断されると（Ｓ５：ＹＥＳ）、ステップＳ６の処理が実行される。電力残量が規定値Ｖ１より大きいと判断されると（Ｓ５：ＮＯ）、ステップＳ７の処理が実行される。例えば、規定値Ｖ１はバッテリ容量の３０％である。尚、本実施形態におけるステップＳ５の処理が、本発明の状態判断ステップの一例であり、本実施形態における主表示制御部４と、ステップＳ５の処理とが、本発明の状態判断部の一例である。
【００５４】
ステップＳ６では、省電力書換モードが設定される。ＲＡＭ４３の一時記憶領域４３２に、省電力書換モードを示す「０」が、モード情報フラグＤＰ２として記憶される。
【００５５】
ステップＳ７では、不揮発性表示部２に表示される画像が通常書換により書き換えられる。尚、本実施形態におけるステップＳ７の処理が、本発明の書換指示ステップの一例であり、本実施形態における主表示制御部４と、ステップＳ７の処理とが、本発明の書換指示部の一例である。
【００５６】
ステップＳ８では、電力残量検出部６において検出された電力残量が、画像表示装置が備えるバッテリ５の電力残量が規定値Ｖ２以上か否かが判断される。規定値Ｖ２は、少なくとも省電力書換により、不揮発性表示部２に表示される画像を１回書き換えることが可能な電力残量値の基準である。バッテリ６の電力残量が規定値Ｖ２以上と判断されると（Ｓ８：ＹＥＳ）、ステップＳ９の処理が実行される。バッテリ６の電力残量が規定値Ｖ２より低いと判断されると（Ｓ８：ＮＯ）、ステップＳ１０の処理が実行される。
【００５７】
ステップＳ９では、書換モード選択処理が実行される。書換モード選択処理では、不揮発性表示部２に表示される画像の表示データが、予め指定された条件に従って特別の画像であるか否かの判断が行われる。表示データに従って表示される画像が、特別の画像と判断されると、ステップＳ６において設定された省電力書換モードが、通常書換モードに変更される。尚、書換モード選択処理は後述により詳細に説明する。
【００５８】
ステップＳ１０では、電源ボタン３ｄにより電源オフの指示が行われたか否かが判断される。電源オフの指示が行われたと判断されると（Ｓ１０：ＹＥＳ）、書換メイン処理は終了される。電源オフの指示が行われたと判断されないと（Ｓ１０：ＮＯ）、ステップＳ１の処理が実行される。
【００５９】
以下、図１５を参照して、本実施形態の書換メイン処理におけるユーザ指定処理について説明する。図１５は、不揮発性表示部２に表示される画像の表示データに対して情報が付加又は削除されるユーザ指定処理を示すフローチャートである。ユーザ指定処理は、画像表示装置１の指定ボタン３ｃが押下されることにより開始される。図１６は、ユーザ指定処理実行時に、不揮発性表示部２の表示画面が順に遷移する状態を示す説明図である。
【００６０】
＜ユーザ指定処理＞
ユーザ指定処理が実行されると、不揮発性表示部２には図１６（Ａ）に示す画像が表示される。図１６（Ａ）は、ユーザ指定処理が実行されたとき、不揮発性表示部２の表示画面における初期状態である。図１６（Ａ）に示す画像の表示データは、機密データＤ２及び特定データＤ３に「１」が設定されている。指定ボタン３ｃにより、ユーザ指定処理の開始が指示されると、不揮発性表示部２の表示画面には３つの操作領域Ａ１、Ａ２、Ａ３が表示される。操作領域Ａ１には、表示データに特定ページを指定する表示と、特定ページ指定を解除する表示とがされる。操作領域Ａ２には、表示データに機密ページを指定する表示と、機密ページ指定を解除する表示とがされる。操作領域Ａ３には、操作領域Ａ１〜Ａ３が表示される状態から、表示データに従った画像が表示される状態に、不揮発性表示部２の表示画面を戻す表示がされる。
【００６１】
操作領域Ａ１〜Ａ３のうち、いずれの領域に表示されるデータ処理を指示するかは、前進ボタン３ａ及び後退ボタン３ｂにより、選択可能である。例えば、操作領域Ａ１が選択されていた場合に、後退ボタン３ｂが押下されると、操作領域Ａ２に選択が変更される。操作領域Ａ３が選択されていた場合に、前進ボタン３ａが押下されると、操作領域Ａ２に選択が変更される。指示ボタン３ｃにより、不揮発性表示部２に表示されている画像の表示データに対して、選択された操作領域に表示されているデータ処理について、情報の付加に対応する指定、または情報の削除に対応する解除のいずれかの選択指示がされる。
【００６２】
不揮発性表示部２に表示されている画像の表示データの特定データＤ３が、特定ページを示す情報である「１」に設定されているとき、特定ページの指定を解除するか否かが判断される。ステップＳＵ１の実行前に、図１６（Ａ）に示す操作領域Ａ１には、特定ページ指定を解除する表示がされている。ステップＳＵ１では、特定ページの指定を解除する指示がされたか否かが判断される。特定ページの指定を解除するが指示がされたと判断されると（ＳＵ１：ＹＥＳ）、ステップＳＵ２の処理が行われる。特定ページ指定を解除するが指示されたと判断されないと（ＳＵ１：ＮＯ）、ステップＳＵ４の処理が行われる。
【００６３】
ステップＳＵ２では、不揮発性表示部２に表示される画像において指定されていた特定ページを示す情報を解除する処理が行われる。表示データの特定データＤ３に設定された特定ページを示す情報「１」がリセットされ、「０」に設定される。
【００６４】
ステップＳＵ３では、ステップＳＵ１において、操作領域Ａ１に表示された特定ページ指定を解除する表示が、特定ページを指定する表示に変更される。ステップＳＵ３の処理が実行されると、不揮発性表示部２の表示画面は、図１６（Ａ）に示す表示状態から、図１６（Ｂ）に示す表示状態に書き換えられる。図１６（Ｂ）に示す表示状態においては、操作領域Ａ１に特定ページを指定する表示がされる。
【００６５】
不揮発性表示部２に表示されている画像の表示データの特定データＤ３が、特定ページを示す情報「１」に設定されていないとき、特定ページを指定するか否かが判断される。ステップＳＵ４の実行前に、図１６（Ｂ）に示す操作領域Ａ１には、特定ページを指定する表示がされている。ステップＳＵ４では、特定ページを指定する指示がされたか否かが判断される。特定ページを指定する指示がされたと判断されると（ＳＵ４：ＹＥＳ）、ステップＳＵ５の処理が行われる。特定ページを指定する指示がされたと判断されないと（ＳＵ４：ＮＯ）、ステップＳＵ７の処理が行われる。
【００６６】
ステップＳＵ５では、不揮発性表示部２に表示される画像が特定ページであることを示す情報を指定する処理が行われる。表示データの特定データＤ２が、特定ページを示す情報「１」に設定される。
【００６７】
ステップＳＵ６では、ステップＳＵ４において操作領域Ａ１に表示された特定ページを指定する表示が、特定ページ指定を解除する表示に変更される。ステップＳＵ６の処理が実行されると、不揮発性表示部２の表示画面は、図１６（Ｂ）に示す表示状態から、図１６（Ａ）に示す表示状態に書き換えられる。図１６（Ａ）に示す表示状態においては、操作領域Ａ１に特定ページ指定を解除する表示がされる。
【００６８】
不揮発性表示部２に表示されている画像の表示データの機密データＤ２に機密ページを示す情報「１」が設定されているとき、機密ページの指定を解除するか否かが判断される。ステップＳＵ７の処理が行われるとき、不揮発性表示部２の操作領域は、前進ボタン３ａ及び後退ボタン３ｂにより、操作領域Ａ２が選択されている。ステップＳＵ７の実行前に、図１６（Ｃ）に示す操作領域Ａ２には、機密ページ指定を解除する表示がされている。ステップＳＵ７では、機密ページの指定を解除する指示がされたか否かが判断される。機密ページの指定を解除する指示がされたと判断されると（ＳＵ７：ＹＥＳ）、ステップＳＵ８の処理が行われる。機密ページの指定を解除する指示がされたと判断されないと（ＳＵ７：ＮＯ）、ステップＳＵ１０の処理が行われる。
【００６９】
ステップＳＵ８では、不揮発性表示部２に表示される画像において指定されていた機密ページを示す情報を解除する処理が行われる。表示データの機密データＤ２に設定された機密ページを示す情報「１」がリセットされ、「０」に設定される。
【００７０】
ステップＳＵ９では、ステップＳＵ７において操作領域Ａ２に表示された機密ページの指定を解除する表示が、機密ページ指定を解除する表示に変更される。ステップＳＵ９の処理が実行されると、不揮発性表示部２の表示画面は、図１６（Ｃ）に示す表示状態から、図１６（Ｄ）に示す表示状態に書き換えられる。図１６（Ｄ）に示す表示状態においては、操作領域Ａ２に機密ページの指定を解除する表示がされる。
【００７１】
不揮発性表示部２に表示されている画像の表示データの機密データＤ２に機密ページを示す情報「１」が設定されていないとき、機密ページを指定するか否かが判断される。ステップＳＵ１０の実行前に、機密ページを指定する表示がされている。ステップＳＵ１０では、機密ページを指定する指示がされたか否かが判断される。機密ページを指定する指示がされたと判断されると（ＳＵ１０：ＹＥＳ）、ステップＳＵ１１の処理が行われる。機密ページを指定する指示がされたと判断されないと（ＳＵ１０：ＮＯ）、ステップＳＵ１３の処理が行われる。
【００７２】
ステップＳＵ１１では、不揮発性表示部２に表示される画像において機密ページを示す情報を指定する処理が行われる。表示データの機密データＤ２が、機密ページを示す情報「１」に設定される。
【００７３】
ステップＳＵ１２では、ステップＳＵ１０において操作領域Ａ２に表示された機密ページを指定する表示が、機密ページ指定を解除する表示に変更される。ステップＳＵ１２の処理が実行されると、不揮発性表示部２の表示画面は、図１６（Ｄ）に示す表示状態から、図１６（Ｃ）に示す表示状態に書き換えられる。図１６（Ｃ）に示す表示状態においては、操作領域Ａ２に機密ページ指定を解除する表示がされる。
【００７４】
ステップＳＵ１３では、ユーザ指定処理を終了するか否かが判断される。ステップＳＵ１３の処理が行われるとき、不揮発性表示部２の操作領域は、前進ボタン３ａ及び後退ボタン３ｂにより、操作領域Ａ３が選択されているとき、ステップＳＵ１３の処理が行われる。ステップＳＵ１３の実行前に、図１６（Ｅ）の操作領域Ａ２には、ユーザ指定処理を終了する表示がされている。ユーザ指定処理を終了する指示がされたと判断されると（ＳＵ１３：ＹＥＳ）、ユーザ指定処理が終了される。ユーザ指定処理を終了する指示がされたと判断されないと（ＳＵ１３：ＮＯ）、ステップＳＵ１の処理が行われる。
【００７５】
本実施形態における不揮発性表示部２の表示画像に対して特定ページ又は機密ページを指定する動作が、本発明における画像判断情報を付加する動作に対応する。本実施形態における不揮発性表示部２の表示画像に対して特定ページ又は機密ページの指定を解除する動作が、本発明における画像判断情報を削除する動作に対応する。
【００７６】
＜書換モード判断処理＞
図１７を参照して、本実施形態の書換メイン処理における書換モード判断処理について説明する。図１７は、書換メイン処理のステップＳ５においてバッテリ５の電力残量が規定値Ｖ１以下であり、ステップＳ８においてバッテリ５の電力残量が規定値Ｖ２以上であった場合に行われる、書換モード判断処理を示すフローチャートである。書換モード判断処理では、不揮発性表示部２の表示を書き換える指示が行われたとき、表示データに基づいて表示される画像が、特別の画像であるか否かが判断される。書換モード判断処理が実行されると、メモリカード７から、不揮発性表示部２に画像を表示させるための表示データが読み出され、ＲＡＭ４３から不揮発性表示部２に現在表示されている画像の現表示データＤＰ１が読み出される。メモリカード７から読み出される表示データは、不揮発性表示部２に次に表示されるページの表示データである。次に表示されるページは、一時記憶領域４３１に記憶された現表示データＤＰ１により表わされるページ番号が次のページである。
【００７７】
ステップＳ２１では、メモリカード７から読み出された表示データが、ユーザ指定の特定ページか否かが判断される。読み出された表示データの特定データＤ３に、表示データが特定ページであることを示す情報「１」が設定されている場合に、特定ページと判断される。表示データが、特定ページであると判断されると（Ｓ２１：ＹＥＳ）、ステップＳ２７の処理が実行される。特定ページであると判断されない場合は（Ｓ２１：ＮＯ）、ステップＳ２２の処理が実行される。
【００７８】
ステップＳ２２では、表示データに従って不揮発性表示部２に表示される画像が選択項目を備えているか否かが判断される。表示データの特定データＤ６に、選択項目を備えていることを示す情報「１」が設定されている場合に、表示データに従う表示画像が選択項目を備えていると判断される。表示データに従う表示画像が選択項目を備えていると判断されると（Ｓ２２：ＹＥＳ）、ステップＳ２７の処理が実行される。表示画像が選択項目を備えていると判断されないと（Ｓ２２：ＮＯ）、ステップＳ２３の処理が実行される。
【００７９】
ステップＳ２３では、ＲＡＭ４３から読み出された現表示データＤＰ１に従って、不揮発性表示部２に現在表示されている画像が、機密情報を含む機密ページか否かが判断される。現表示データＤＰ１の機密データＤ２に、機密ページであることを示す情報「１」が設定されている場合に、機密ページであると判断される。表示データが、機密ページであると判断されると（Ｓ２３：ＹＥＳ）、ステップＳ２７の処理が実行される。表示データが、機密ページであると判断されないと（Ｓ２３：ＮＯ）、ステップＳ２４の処理が実行される。
【００８０】
ステップＳ２４では、表示データは、表示データに従って不揮発性表示部２に図形が表示される図形データを備えているか否かが判断される。表示データの図形データＤ５に、図形データを備えていることを示す情報「１」が設定されている場合に、表示データが図形データを備えていると判断される。表示データが図形データを備えていると判断されると（Ｓ２４：ＹＥＳ）、ステップＳ２７の処理が実行される。表示データが図形データを備えていると判断されないと（Ｓ２４：ＮＯ）、ステップＳ２５の処理が実行される。
【００８１】
ステップＳ２５では、表示データのグレー階調データＤ４のうち、少なくともいずれか１つの構成データに「１」が設定されていた場合に、グレー階調データＤ４１〜Ｄ４４における割合の和が、全画素数に対して３０％以上あるか否かが判断される。表示データのグレー階調データＤ４３又はグレー階調データＤ４４に、「１」が設定されていた場合に、不揮発性表示部２に表示される画像の全画素数におけるグレー階調の画素数が３０％以上と判断される。表示される画像の全画素数におけるグレー階調の画素数が３０％以上である場合に（Ｓ２５：ＹＥＳ）、ステップＳ２７の処理が実行される。グレー階調の画素数が３０％より少ない場合は（Ｓ２５：ＮＯ）、ステップＳ２６の処理が実行される。グレー階調の画素数は、表示データの構成データ６３ａ〜６３ｄに設定された割合の和である。尚、本実施形態におけるステップＳ２１、ステップＳ２２、ステップＳ２４、ステップＳ２５の各処理が、本発明の画像判断ステップの一例であり、本実施形態における主表示制御部４と、ステップＳ２１、ステップＳ２２、ステップＳ２４、ステップＳ２５の各処理とが、本発明の画像判断部の一例である。
【００８２】
ステップＳ２６では、省電力書換による書換処理が実行される。尚、本実施形態におけるステップＳ２６の処理が、本発明の書換指示ステップの一例であり、本実施形態における主表示制御部４と、ステップＳ２６の処理とが、本発明の書換指示部の一例である。
【００８３】
ステップＳ２７では、通常書換モードが設定される。ＲＡＭ４３の一時記憶領域４３２に、通常書換モードを示す「１」が、モード情報フラグＤＰ２として記憶される。
【００８４】
ステップＳ２８では、通常書換による書換処理が実行される。尚、本実施形態におけるステップＳ２８の処理が、本発明の書換指示ステップの一例であり、本実施形態における主表示制御部４と、ステップＳ２８の処理とが、本発明の書換指示部の一例である。
【００８５】
＜通常書換モードの書換処理＞
図１８は、不揮発性表示部２に書換波形の電圧が印加されることにより、画像を４階調で表示する通常書換における書換処理を示すフローチャートである。通常書換において書換処理が実行されると、ステップＳ４１では、メモリカード７からユーザの操作に応じた表示データが読み出され、表示データに従って表示される画像の各画素の階調が特定される。不揮発性表示部２が、４階調の表示が可能な構成である場合は、各色の階調として、白色は「０」、薄いグレーは「１」、濃いグレーは「２」、黒色は「３」により表示される。特定された各画素の階調は、現表示データＤＰ１として、ＲＡＭ４３の一時記憶領域４３１に記憶される。尚、ステップＳ４１が実行されるときに、不揮発性表示部２の表示画面は図１４（Ａ）に示す表示状態にあるものとする。
【００８６】
ステップＳ４２では、ステップＳ４１において特定された各画素の階調に基づいて、不揮発性表示部２に印加される電圧の波形が決定される。ステップＳ４２では、ＲＯＭ４２に記憶される書換波形テーブルＰ２が読み出される。
【００８７】
ステップＳ４３では、ステップＳ４２において読み出された書換波形テーブルＰ２に従って、不揮発性表示部２に現在表示されている画像の各画素と不揮発性表示部２に次に表示される画像の各画素とにより、各画素の波形番号データが決定される。
【００８８】
ステップＳ４４では、ステップＳ４３において決定された波形番号データがコントローラ部４５に送信される。
【００８９】
＜省電力書換モードの書換処理＞
図１９は、不揮発性表示部２に書換波形の電圧が印加されることにより、画像を２階調で表示する省電力書換モードが設定されていたときの書換処理を示すフローチャートである。省電力書換において書換処理が実行されると、ステップＳ１０１では、階調変換対応表Ｐ４がＲＯＭ４２の記憶領域４２４から読み出される。尚、通常書換による書換処理が完了した直後にステップＳ１０１が実行されるときに、不揮発性表示部２の表示画面は、図１４（Ａ）に示す表示状態にあるものとする。
【００９０】
ステップＳ１０２では、階調変換対応表Ｐ４を参照して、省電力書換の書換処理時における階調に従って色が特定される。通常書換処理時において薄グレー「１」と特定される画素は、白色「０」に変換され、濃いグレー「２」と特定される画素は、黒色「３」に変換される。
【００９１】
ステップＳ１０３では、ステップＳ１０２において特定された各画素の階調に基づいて、不揮発性表示部２に印加される電圧の波形が決定される。ステップＳ１０３ではＲＯＭ４２に記憶される書換波形テーブルＰ２が読み出される。
【００９２】
ステップＳ１０４では、ステップＳ１０３において読み出された書換波形テーブルＰ２に従って、不揮発性表示部２に現在表示されている画像の各画素と、不揮発性表示部２に次に表示させる画像の各画素とにより、各画素の波形番号データが決定される。
【００９３】
ステップＳ１０５では、ステップＳ１０４において決定された波形番号データがコントローラ部４５に送信される。
【００９４】
本実施形態における不揮発性表示部２の表示状態の変化を、図６に示すメモリカード７内の表示データ７Ａ及び表示データ７Ｂに従って画像が表示される場合の処理に沿って説明する。書換モード判断処理において、表示データ７Ａが読み出され、不揮発性表示部２に画像が表示されるとき、ステップＳ２１からステップＳ２５の処理において、表示データに従って表示される画像は特定の画像ではないと判断され、ステップＳ２６において電力残量が規定値Ｖ２以下と判断されると省電力書換モードが設定される。その結果、不揮発性表示部２は図１４（Ｂ）に示す状態に書き換えられる。図１４（Ｂ）は表示データ７Ａに基づいて画像を２値により表示したとき、不揮発性表示部２の表示状態を示す。尚、図１４（Ｂ）に示す操作領域Ｂ１、Ｂ２、Ｂ３、Ｂ４、Ｂ５は、それぞれ選択項目を表示している。各選択項目は、選択項目を有する画像が不揮発性表示部２に表示されているとき、前進ボタン３ａ又は後退ボタン３ｂが操作されることにより、選択される。指定ボタン３ｃの操作により、選択された特定の選択項目に基づく処理が行われる。また、書換モード判断処理において、表示データ７Ｂが読み出されるとき、ステップＳ２１からステップＳ２３の処理において、表示データに従って表示される画像は特別の画像ではないと判断され、ステップＳ２４において、表示データ７Ｂの図形データＤ５が「１」に設定されていることにより、特別の画像であると判断され、通常書換モードが設定される。その結果、不揮発性表示部２は、図１４（Ｃ）に示す状態に書き換えられる。図１４（Ｃ）は表示データ７Ｂに基づいて画像を表示したとき、不揮発性表示部２における表示状態を示す。表示データ７Ｂに従って不揮発性表示部２に表示される画像は、通常書換による書換処理が行われ、４階調により表示される。
【００９５】
（変形例１）
本実施形態における省電力書換が指示された時の書換は、通常書換が指示された時の書換より、表示可能な階調段階数が低いものである。この構成に限定されることはなく、省電力書換において消費される電力が、通常書換において消費される電力より低く書き換えられるものであれば、如何なる構成であってもよい。例えば、省電力書換における駆動パルス電圧８０が、通常書換における駆動パルス電圧８０より短いものであってもよい。また、省電力書換は、不揮発性表示部２の表示画面全体を書き換える処理ではなく、表示画面の一部を書き換える処理であってもよい。
【００９６】
（変形例２）
本実施形態における書換モード判断処理では、表示データにおける複数の構成データに設定された内容によって、特別の画像であるか否かを判断しているが、構成データのうちの一部のデータの内容により、特別の画像であると判断してもよい。また、複数の構成データのうち、いくつかの構成データの組み合わせによる内容に従って、特別の画像であるか否かが判断されてもよい。
【００９７】
（実施例３）
本実施形態では、図４に示すメモリカード７から表示データを取得する構成であったが、これ以外に、インターネットや無線通信手段を介して外部記憶装置から表示データが取得可能な構成であってもよい。
【００９８】
（変形例４）
本実施形態では、画像表示装置１に備わるバッテリ５は、画像表示装置１の内部バッテリ電源として構成されているが、２種類の電源部を併用し電圧が画像表示装置に供給される構成であってもよい。例えば、外部電源及び内部バッテリ電源により電圧が供給可能な場合においては、内部バッテリ電源により電圧が供給されるとき、電力供給状態が低いと判断される構成であってもよい。
【００９９】
（変形例５）
本実施形態では、ステップＳ２６により判断される電力残量の規定値Ｖ２は、不揮発性表示部２に表示される画像を通常書換モードで１回書き換えることが可能な電力残量であるが、不揮発性表示部２の表示画像を複数回書き換えることが可能な電力残量であっても良い。不揮発性表示部２に表示される画像の前後が関連のある画像である場合に、複数回書き換えることが可能な構成とすることにより、電力残量不足により関連のある画像が表示不可能となる恐れがない。
【０１００】
（変形例６）
本実施形態では、ＲＡＭ４３の一時記憶領域４３２に記憶されるモード情報フラグＤ２により、書換モードが判断され、通常書換指示と省電力書換指示とにより書き換える構成である。ＲＡＭ４３に書換モードを示す情報を記憶させなくてもよい。書換メイン処理において、電力供給能力が低いと判断されたとき、特別な画像を判断することにより、通常書換指示と判断し、特別な画像でないと判断したとき、省電力書換指示を判断し、書換が行われる構成であってもよい。
【０１０１】
（変形例７）
本実施形態では、不揮発性表示部２の一例として電気泳動ディスプレイ（ＥＰＤ）が使用される。しかし、不揮発性表示部２は、電圧が印加されることにより表示される画像を書き換え、電力供給が断たれても表示状態を保持することが可能な構成であればよい。例えば、帯電微粉末トナーを用いるものや、エレクトロミックディスプレイ（ＥＣＤ）、不揮発性表示型の液晶ディスプレイであるコレステリック液晶などを用いてもよい。
【符号の説明】
【０１０２】
１  画像表示装置
２  不揮発性表示部
３ａ  前進ボタン
３ｂ  後退ボタン
３ｃ  指定ボタン
４  主表示制御部
５  バッテリ
６  電力残量検出部
７  メモリカード
８  インタフェース
２２  画素電極
２４  白色帯電粒子
２５  黒色帯電粒子
２７  透明電極
４０  制御部
４１  ＣＰＵ
４２  ＲＯＭ
４３  ＲＡＭ
４５  コントローラ部
４６  ドライバ
４７  ＴＦＴ
８０  駆動パルス電圧
８３  書換パルス電圧
Ｐ１  メイン処理プログラム
Ｐ２  書換波形テーブル
Ｐ４  階調変換対応表
ＤＰ１  現表示データ
ＤＰ２  モード情報フラグ
【図１】
2010237517.tif 000003
【図２】
2010237517.tif 000004
【図３】
2010237517.tif 000005
【図４】
2010237517.tif 000006
【図５】
2010237517.tif 000007
【図６】
2010237517.tif 000008
【図７】
2010237517.tif 000009
【図８】
2010237517.tif 000010
【図９】
2010237517.tif 000011
【図１０】
2010237517.tif 000012
【図１１】
2010237517.tif 000013
【図１２】
2010237517.tif 000014
【図１３】
2010237517.tif 000015
【図１４】
2010237517.tif 000016
【図１５】
2010237517.tif 000017
【図１６】
2010237517.tif 000018
【図１７】
2010237517.tif 000019
【図１８】
2010237517.tif 000020
【図１９】
2010237517.tif 000021